(57)【特許請求の範囲】
【請求項１】
地中に残留した有害物質を挟んだ両側の位置でかつ該有害物質から離れた位置より該有害物質の下方に向けて該有害物質に接触しない態様にて少なくとも先端が互いに交差する位置まで掘削孔を掘削し、該掘削孔にグラウト材を注入して有害物質を封じ込める連続壁を形成する有害物質の封じ込め方法に用いる掘削装置において、該掘削装置は、掘削刃を有する多数の掘削刃片を屈曲自在な帯状に連結してその掘削刃部分を外方に向けて環状に形成した掘削帯体を有し、該掘削帯体は長円形状に回転自在に形成され、前記掘削刃片の刃底部には掘削液の噴出口を有し、掘削液が圧送された掘削液供給手段を前記掘削帯体の内方に有し、前記掘削液供給手段は掘削帯体の内周に沿って回転する圧力管と該圧力管に掘削液を供給する可撓管とで構成されていることを特徴とする有害物質の封じ込め方法に用いる掘削装置。
【発明の詳細な説明】
【０００１】
【発明の属する技術分野】
本発明は、例えば工場跡地等の地中に残留した有害物質の封じ込め方法に用いる掘削装置に関する。
【０００２】
【従来の技術】
工場等を撤去し、再建築あるいは再開発するときに、その跡地の地中には、例えば滲出した金属洗浄液その他の有害物資が残留していることがある。この様な場合には、その有害物質を回収し埋め戻す、全体を固形化する、あるいは薬剤等により無害化して封じ込める等の処理が必要である。
【０００３】
従来、有害物質を封じ込める方法としては、図４に示す様に、地中の残留有害物質Ｚを囲む連続壁Ｓ、Ｔを設けて封じ込めていた。しかし、この様な封じ込め方法では、縦の連続壁Ｔの施工は容易であるが、底部の連続壁であるボトムバリヤＳの施工は困難である。そして、これらの連続壁の密閉が不完全であると有害物質が漏出する恐れがある。又、有害物質の含まれた地中を穿孔あるいは掘削すると、有害物質が気化飛散し、環境問題を生じるという問題もある。
【０００４】
【発明が解決しようとする課題】
従って、本発明は、上記の従来技術の問題点に対処して地中に残留した有害物質を安全かつ容易に封じ込めるための、有害物質の封じ込め方法に用いる掘削装置を提供することを目的としている。
【０００５】
【課題を解決するための手段】
本発明の有害物質の封じ込め方法に用いる掘削装置によれば、地中に残留した有害物質を挟んだ両側の位置でかつ該有害物質から離れた位置より該有害物質の下方に向けて該有害物質に接触しない態様にて少なくとも先端が互いに交差する位置まで掘削孔を掘削し、該掘削孔にグラウト材を注入して有害物質を封じ込める連続壁を形成する有害物質の封じ込め方法に用いる掘削装置において、該掘削装置は、掘削刃を有する多数の掘削刃片を屈曲自在な帯状に連結してその掘削刃部分を外方に向けて環状に形成した掘削帯体を有し、該掘削帯体は長円形状に回転自在に形成され、前記掘削刃片の刃底部には掘削液の噴出口を有し、掘削液が圧送された掘削液供給手段を前記掘削帯体の内方に有し、前記掘削液供給手段は掘削帯体の内周に沿って回転する圧力管と該圧力管に掘削液を供給する可撓管とで構成されている。
【０００８】
上記の様に構成された有害物質の封じ込め方法に用いる掘削装置においては、屈曲自在で外方に向けた掘削刃を有して長円形の環状に形成された掘削帯体が、回転駆動されてその掘削刃により掘削すると共に、掘削液が掘削帯体の内方に設けられた掘削液供給手段に圧送され、掘削刃片の刃底部の噴出口からジェットとなって噴出される。従って、掘削刃および掘削液ジェットにより容易に平面状に掘削を行うことができる。
【０００９】
掘削液供給手段は、掘削帯体の長円形状の直線部内方に設け、掘削方向に掘削液ジェットを噴出して掘削する。
【００１０】
又、掘削帯体の内側に掘削帯体内周に沿って回転する圧力管を設けて、該圧力管に可撓管で掘削液を供給すれば、全周方向に掘削液ジェットを噴出することができる。この際、圧力管が長円形状に回転するので、長径と短径との差が大きい場合にはホースリールを用いて可撓管を巻き込み対処するとよい。そして、ホースリールは一方向に付勢し、自動的に巻き取る様にすればよい。なお、付勢する方向は、回転方向またはその逆方向いずれでも可能である。
【００１１】
そして、掘削装置によって地中に残留した有害物質を挟んだ両側の位置でかつ有害物質から離れた位置から、有害物質の下方に向けて有害物質に接触しない態様にて、少なくとも先端が互いに交差する位置までそれぞれ平面状に掘削し、その掘削孔にグラウト材を注入して連続壁を形成し、その連続壁にて有害物質を封じ込める。
【００１２】
【発明の実施の形態】
以下、図面を参照して本発明の実施形態を説明する。
図１において、全体を符号１で示す掘削装置１には、掘削刃４を有する多数の掘削刃片３が屈曲自在に帯状に連結され、その掘削刃４を外方に向けて環状に形成されて掘削帯体２が構成されている。そして、その掘削帯体２は長円形状に回転可能に形成されて、図示しない動力源によって駆動される。又、それぞれの掘削刃片３の刃底部には掘削液の噴出口５が設けられている。
【００１３】
上記掘削帯体２の長円形状直線部の内方に掘削液供給手段である圧力管６が設けられ、図示しない圧力源から高圧で掘削液Ｗが供給されている。
【００１４】
次に、本掘削装置１を用いた有害物質の封じ込め方法の態様を説明する。
長円形状の環状に形成され、屈曲自在で外方に向けて掘削刃４を有する掘削帯体２は、回転駆動されてその掘削刃４により掘削すると共に、掘削液Ｗが掘削帯体２の内方に設けられた圧力管６に圧送され、掘削刃片３の刃底部の噴出口５からジェットＪとなって噴出される。従って、掘削刃４と掘削液ジェットＪとによって容易に平面状に掘削が行われる。
【００１５】
図３に示す様に、地中に残留した有害物質Ｚから離れてその有害物質Ｚを挟んだ両側の位置Ａ、Ｂから、掘削装置１を用いてその掘削刃４と掘削液ジェットＪとによって、それぞれ有害物質Ｚの下方に向けて斜めに有害物質Ｚに接触しない様に、少なくとも先端が互いに交差する位置Ｃまで、それぞれ紙面と直角をなす平面状に掘削する。そして、その掘削孔Ｈにグラウト材を注入して連続壁Ｖを形成し、その連続壁Ｖにて有害物質Ｚを封じ込める。
【００１６】
図２には、本発明の別の実施形態を示す。この実施形態の掘削装置１Ａにおいては、掘削帯体２は上記実施形態と同じものが用いられ、掘削液供給手段には、掘削帯体２の内周に沿って回転する圧力管７が用いられて圧力源８とは可撓管９で連通されている。この可撓管９は、長円形状の長径と短径との長さの違いに対し、図の符号ａ、ｂに示す様に対応するもので、この長さの差が大きい場合には、一方向に付勢されたホースリールとするとよい。又、この可撓管９は複数本用いてもよい。この実施形態では、掘削液ジェットＪを全周方向に噴射することができる。
【００１７】
【発明の効果】
本発明は、以上説明した様に構成されているので、以下の効果を奏する。
（１）  有害物質両側の２方向からの掘削で確実に有害物質を封じ込める連続壁が形成できる。
（２）  掘削液ジェットを併用して掘削するので強力で効率が高い掘削ができる。そして、平面状に掘削でき上記連続壁の掘削に適している。
【図面の簡単な説明】
【図１】本発明の一実施形態を示す説明図。
【図２】本発明の別の実施形態を示す説明図。
【図３】本発明の掘削装置を用いて施工する有害物質の封じ込め方法の説明図。
【図４】従来の有害物質の封じ込め方法の説明図。
【符号の説明】
１、１Ａ・・・掘削装置
２・・・掘削帯体
３・・・掘削刃片
４・・・掘削刃
５・・・噴射口
６、７・・・圧力管
９・・・可撓管
Ｖ・・・連続壁
Ｚ・・・有害物質
【図１】
0003719560.tif 000002
【図２】
0003719560.tif 000003
【図３】
0003719560.tif 000004
【図４】
0003719560.tif 000005